(57)【要約】【課題】カードを用いて振込取引を行なう自動取引装置において、利用者が目的とする振込先を選択する操作を容易にし、その利便性を向上する。【解決手段】  利用者の操作に基づき振込取引を行なう自動取引装置において、振込先情報をカテゴリに分類してＩＣカード等に記憶しておき、前記カテゴリに分類して記憶した振込先情報を表示し、その表示した振込先情報から利用者が振込先を選択する。【選択図】        図１
2006190094.tif 000002
【特許請求の範囲】
【請求項１】
利用者の操作に基づき振込取引を行なう自動取引装置において、
振込先情報を入力する操作手段と、前記操作手段で入力された振込先情報をカテゴリに分類して記憶手段に記憶する振込情報制御手段と、前記記憶手段でカテゴリに分類して記憶した振込先情報を表示する表示手段とを備え、前記表示手段で表示したカテゴリ別の振込先から前記操作手段で選択した振込先に振込むことを特徴とする自動取引装置。
【請求項２】
請求項1に記載の自動取引装置において、
前記記憶手段をＩＣカードとし、ＩＣカードを取り扱うカード取扱い手段とを備えたことを特徴とする自動取引装置。
【請求項３】
請求項1または請求項２に記載の自動取引装置において、
カテゴリの名称を操作者が入力する操作手段と、前記操作手段で入力したカテゴリの名称を記憶する記憶手段とを備えたことを特徴とする自動取引装置。
【請求項４】
請求項1、請求項２または請求項３に記載の自動取引装置において、
前記振込情報制御手段が、記憶手段に記憶されていない振込先情報であって、操作手段で入力された新たな振込先情報を記憶手段に記憶することを特徴とする自動取引装置。
【請求項５】
請求項４に記載の自動取引装置において、
前記振込情報制御手段が、前記新たな振込先情報を登録するカテゴリを利用者に選択させることを特徴とする自動取引装置。
【発明の詳細な説明】
【技術分野】
【０００１】
本発明は、表示画面に複数の振込先を表示して、その中から選択した振込先に振込取引を行なう自動取引装置に関する。
【背景技術】
【０００２】
従来、金融機関等で利用者に対する入出金取引や振込取引に自動取引装置が使用されている。これらの自動取引装置での取引では磁気ストライプカードやＩＣカードなどのカードが使用される。このＩＣカードは磁気ストライプカードと比較して多くのデータが記録可能であり、口座情報や振込先情報等を記録することができる。
近年、自動取引装置の利便性を向上させるため口座情報や振込先情報等に加え入出金や振込等の取引履歴情報が記録されたＩＣカードを使用することが提案されている。このＩＣカードを用いて取引履歴を画面上に表示し、その中から選択することにより、振込先の口座情報や金額の入力操作を省略でき、入力ミスを減少することができる。さらに、取引履歴を利用者によって任意に編集可能として入力操作の簡略化を図り利便性を向上させる提案もある（例えば、特許文献１参照）。
【特許文献１】特開２００３−２８１３８８号公報
【発明の開示】
【発明が解決しようとする課題】
【０００３】
しかしながら、上述した従来の技術においては、取引履歴等を画面上に表示する場合、取引履歴が多くなると取引履歴等を１つの画面に表示することができず複数の画面に表示していた。特に利用者にとって振込先が増えると取引履歴が増加し複数の画面に表示することが多い。このような場合、利用者は目的とする取引を複数の画面の中から選択する操作が必要となり、必ずしも利便性が向上するものではないという問題がある。たとえば、取引履歴は取引が行なわれた日時の昇順（新しい取引履歴を最初の画面に、古い取引履歴を最後の画面）または降順（古い取引履歴を最初の画面に、新しい取引履歴を最後の画面）に表示することが多く、昇順に表示する場合は、1年に1度しか振込取引を行なわない振込先を選択するには何度も画面を切り替える操作が必要になることがある。
【０００４】
本発明は、このような問題を解決することを課題とする。
【課題を解決するための手段】
【０００５】
そのため、本発明は、振込先情報を入力する操作手段と、前記操作手段で入力された振込先情報をカテゴリに分類して記憶する記憶手段と、前記記憶手段でカテゴリに分類して記憶した振込先情報を表示する表示手段とを備え、前記表示手段で表示したカテゴリ別の振込先から前記操作手段で選択した振込先に振込むことを特徴とする。
【発明の効果】
【０００６】
このようにした本発明は、利用者の振込取引における振込先情報をカテゴリに分類し利用者が所持するＩＣカードに登録しておき、振込取引時にＩＣカードに登録した振込先情報をカテゴリに分類して画面に表示する。このため利用者は以前に取引した日時を確認することなく目的とした振込先をカテゴリに分類した中から選択することができ振込先の選択が容易になるという効果が得られる。
【発明を実施するための最良の形態】
【０００７】
以下、図面を参照して本発明による自動取引装置の実施例を説明する。
【実施例】
【０００８】
図１は実施例を示す自動取引装置のブロック図である。
自動取引装置１は、主制御部２、通信制御部３、カードリーダプリンタ４、表示部５、操作部６、紙幣入出金機７、硬貨入出金機８、通帳記帳機９、振込先情報制御部１１等で構成されている。
主制御部２は装置全体を制御し、通信制御部３と接続され図示しない銀行ホストコンピュータとの間で入金、出金、振込等の取引電文の送受信を行いホストコンピュータで取引が成立するか否かが判断される。
【０００９】
カードリーダプリンタ４は、カード取り扱い手段であり、磁気カードやＩＣカード等のカードに記録された情報の読取りや書き込みおよび印刷等を行なう。磁気ヘッド、ＩＣカード読み取り書き込み機構および印刷機構等を備えたものである。
表示部５は、表示手段であり、操作手順、その他の情報をイラスト、文字あるいは文言によって表示し利用者を誘導する。なお、表示部５には、数値や仮名文字等の入力に利用するタッチパネル等が設けられている。
【００１０】
操作部６は、操作手段であり、暗証番号、金額、口座番号、取引の選択、確認あるいは取消等に応じた表示部分の入力をタッチパネル等が検知して対応する信号を出力するいわゆるボタン操作が行なわれるものである。
紙幣入出金機７は、紙幣の入金や出金のため、紙幣の計数等を行なうものである。なお、紙幣入出金機７には利用者に紙幣の受渡しを行なう紙幣取扱部がある。
【００１１】
硬貨入出金機８は、硬貨の入金や出金のため、紙幣の計数等を行なうものである。なお、硬貨入出金機８には利用者に硬貨の受渡しを行なう硬貨取扱部がある。
通帳記帳機９は、通帳の磁気ストライプの読み取りや書き込みおよび取引内容等を印刷するものである。
１０は、記憶手段であり、磁気カードやＩＣカードを示す。
【００１２】
振込先情報制御部１１は、操作部６より入力された情報を基に振込先情報を編集してカードリーダプリンタ４を使用して記憶手段１０に書き込みおよびカードリーダプリンタ４を使用して記憶手段１０から振込先情報を取得する等振込情報の入出力、編集等に関わる制御を行う振込先情報制御手段である。
図２は、上記自動取引装置１の外観斜視図である。１は自動取引装置全体であり、２１は表示部５および操作部６である。２２は紙幣取扱部、２３は硬貨取扱部である。２４はカード挿入排出口で、２５は通帳挿入排出口である。
【００１３】
図３から図１１は表示部５に表示する画面の例示図である。
図１２はＩＣカード内レコードを例示する説明図である。
Ｃ０１は、依頼人情報であり依頼人名、電話番号、登録日で構成されている。
Ｃ０２は、カテゴリでありカテゴリ名称と振込先情報で構成される。ここで、カテゴリとは振込先をある観念において共通するグループに分類したものであり、予め自動取引装置で定義したものと利用者が任意に定義するものとがある。
【００１４】
Ｃ０３は、カテゴリｎでありＩＣカード内にはｎ個のカテゴリを登録することができることを示す。なお、ｎの最大数はＩＣカードの記憶容量により制限される。
Ｃ０４は、カテゴリ名称を格納する。なお、このカテゴリ名称がすべて空白文字の場合はカテゴリ名称がないことを示す。
Ｃ０５は、振込先情報であり金融機関種類、金融機関コード、金融機関名（カナ）、支店コード、支店名（カナ）、科目、口座番号、受取人名、使用年月日で構成される。
【００１５】
Ｃ０６は、振込先情報ｎであり一つのカテゴリ内にｎ個の振込先情報を登録することができることを示す。なお、ｎの最大数はＩＣカードの記憶容量により制限される。
Ｃ０３はカテゴリがｎ個、Ｃ０６は振込先情報がｎ個存在しうることを説明するために使用し、以下、ＩＣカード内レコードの中の情報を説明する符号はＣ０１、Ｃ０２、Ｃ０４、Ｃ０５を使用する。
【００１６】
上述した構成の作用について説明する。
自動取引装置１は、取引が可能になると図３に示す取引選択画面を表示部５に表示し、利用者の取引開始を待つ。利用者が操作部６の「お振り込み」ボタンを押下すると振込取引が開始される。次に、図４に示す如くＩＣカード挿入を促す画面を表示部５に表示し、ＩＣカードの挿入を待つ。
【００１７】
ＩＣカードをカード挿入排出口２４に挿入すると図５に示す振込方法を選択する画面を表示部５に表示し、ＩＣカードに登録済みの振込先に振り込む取引かＩＣカードに登録していない振込先に振り込む取引なのかを選択する。ここで、ＩＣカードに登録済みの振込先とは、振込先情報Ｃ０５がＩＣカードに記録されていることを意味する。利用者がＩＣカードに登録済みの振込先に振り込む取引を選択する場合は図５に示す「ＩＣカード」ボタンを押下し、ＩＣカードに登録していない振込先に振り込む取引を選択する場合は図５に示す「都度入力」ボタンを押下する。
【００１８】
まず、利用者が「ＩＣカード」ボタンを押下し、ＩＣカードに登録済みの振込先に振り込む取引を選択した場合を説明する。
利用者が「ＩＣカード」ボタンを押下すると、ＩＣカードに登録してある振込先を表示部５に表示し振込先を選択できるようにする。たとえば図６に示す如く振込先を選択する画面を表示部５に表示する。図６のカテゴリ選択ボタン６１、６２、６３、６４は既に登録された振込先のカテゴリ名称を表している。具体的には、ＩＣカードに登録済みカテゴリ名称Ｃ０４を表示する。
【００１９】
なお、図６では４つのカテゴリ名称を表示しているが表示するのは４つに限らない。また、振込先選択ボタン６５と振込先選択ボタン６６は既に登録された振込先のカテゴリのいずれにも属さない振込先を表す。具体的には、カテゴリ名称Ｃ０４がすべて空白文字のカテゴリＣ０２に属する振込先情報Ｃ０５の受取人名を表示する。
表示部５に表示した図６に示す振込先を選択する画面において、たとえば利用者が家賃関連６３のボタンを押下した場合、図７に示す如く家賃関連カテゴリに登録された振込先画面を表示部５に表示する。具体的には、ＩＣカードに登録されたカテゴリ名称Ｃ０４が「家賃関連」であるカテゴリＣ０２に属する振込先情報Ｃ０５の受取人名を表示する。そして、該当する振込先のボタンを選択して押下することにより振込先を選択し、以降金額等を入力し振込取引を終了する。
【００２０】
次に、図５に示す振込方法を選択する画面でＩＣカードに登録していない振込先に振り込む取引を選択する場合を図１３のＩＣカードに登録していない振込先に振り込む取引のフローチャートのＳで示すステップにしたがって説明する。
Ｓ１３０１：図５に示す振込方法を選択する画面で利用者が「都度入力」ボタンを押下する。
【００２１】
Ｓ１３０２：ＩＣカードに登録していない振込先に振り込む取引を選択した場合、利用者は振込先金融機関名、支店名、科目、口座番号、振込金額等の振込取引に必要な情報を操作部６から入力し振込取引を行なう。
Ｓ１３０３：利用者が振込取引に必要な情報を操作部６から入力すると図８に示す振込先を登録するか否かの選択画面を表示部５に表示する。
【００２２】
Ｓ１３０４：表示部５に振込先を登録するか否かの選択画面を表示すると当該振込取引で入力した振込先金融機関名等の振込取引に必要な情報をＩＣカードに登録するか否かを利用者に選択させる。
Ｓ１３０５：利用者が「登録する」ボタンを押下した場合は、図９に示す如く登録先を選択する画面を表示部５に表示し、利用者に登録する先を選択させる。登録する先には、登録済カテゴリ、新規カテゴリおよび通常登録の３種類がある。ここで、登録済カテゴリとは、予め自動取引装置で定義したカテゴリや利用者が任意に作成したカテゴリであり、カテゴリ名称Ｃ０４にカテゴリ名称が登録されているものである。そして、今回登録する振込先情報が登録済カテゴリのいずれかに属すると考えられる場合に選択される。新規カテゴリは、今回登録する振込先が既に登録されているカテゴリのいずれにも属しないと考えられるとき、利用者が新たなカテゴリを作成し振込先を登録する場合に選択される。通常登録は、いずれの登録済カテゴリに属させず振込先を登録する場合に選択される。
【００２３】
Ｓ１３０６：利用者が登録済カテゴリのいずれかのカテゴリを選択した場合（たとえば、図９に示す如く「２５日振込」、「家賃関連」、「年毎」、「納品先」のいずれかのボタンが押下された場合）、選択したカテゴリと図１２に示すＩＣカード内レコードのカテゴリ名称Ｃ０４が一致するカテゴリＣ０２に属する振込先情報Ｃ０５に当該振込取引で入力した振込先金融機関名等の情報を追加して記録する。
【００２４】
Ｓ１３０７：利用者が新規カテゴリを選択した場合（たとえば、図９に示す「新規カテゴリ」を押下した場合）、図１０に示す如く新規カテゴリの名称を入力する画面を表示部５に表示し、利用者に新規カテゴリの名称を既定の名称にするか利用者が任意に決定するかを選択させる。ここで、既定の名称とは、自動取引装置で既に定めたカテゴリ名称である。たとえば、図１０に示す「教育関連」がある。また、利用者が任意に決定するとは、既定のカテゴリ名称に該当するカテゴリがない場合に利用者が任意にカテゴリ名称を定義することができるものである。
【００２５】
Ｓ１３０８：利用者が図１０に示す既定の名称のボタンを押下した場合は、図１２に示す如くＩＣカード内レコードのカテゴリＣ０２を追加し、その追加したカテゴリＣ０２のカテゴリ名称Ｃ０４に既定の名称を記録する。
Ｓ１３０９：そして、そのカテゴリＣ０２に属する振込先情報Ｃ０５に当該振込取引で入力した振込先金融機関名等の情報を追加して記録する。
【００２６】
Ｓ１３１０：利用者が図１０に示す「任意入力」のボタンを押下した場合は、図１１に示す如くカテゴリの名称を任意に入力する画面を表示部５に表示し、利用者にカナやアルファベット等で入力させる。利用者の入力が完了すると図１２に示すＩＣカード内レコードのカテゴリＣ０２を追加し、その追加したカテゴリＣ０２のカテゴリ名称Ｃ０４に入力された名称を記録する。そして、そのカテゴリＣ０２に属する振込先情報Ｃ０５に当該振込取引で入力した振込先金融機関名等の情報を追加して記録する。
【００２７】
Ｓ１３１１：利用者が図９に示す如く通常登録のボタンを押下した場合は、通常登録のカテゴリ、つまり、カテゴリ名称Ｃ０４をすべて空白文字で構成する。
Ｓ１３１２：カテゴリ名称Ｃ０４がすべて空白文字で構成されているカテゴリＣ０２の振込先情報Ｃ０５に追加して記録する。このとき、カテゴリ名称Ｃ０４がすべて空白文字で構成されているカテゴリＣ０２が存在しない場合は、新たにカテゴリ名称Ｃ０４がすべて空白文字で構成したカテゴリＣ０２の振込先情報Ｃ０５に当該振込取引で入力した振込先金融機関名等の情報を追加して記録する。
【００２８】
上記のように利用者が「登録する」ボタンを押下し一連の入力を行なうと当該振込取引で入力した振込先金融機関名等の情報をＩＣカード内レコードのカテゴリＣ０２に属する振込先情報Ｃ０５に追加して記録することにより登録が完了する。
なお、Ｓ１３０４において利用者が「登録しない」ボタンを押下した場合は、ＩＣカードには何も登録せず振込取引を終了する。
【００２９】
このようにＩＣカードに登録した振込先は次回の振込取引から図６に示す振込先の選択画面として表示部５に表示する。具体的には画面６のカテゴリ選択ボタン６１〜６４には各カテゴリＣ０２のカテゴリ名称Ｃ０４を表示し、また、振込先選択ボタン６５，振込先選択ボタン６６にはカテゴリ名称Ｃ０４がすべて空白文字で構成されているカテゴリＣ０２の振込先情報Ｃ０５の受取人名等の情報を表示する。そして、利用者は目的とする振込先を容易に選択し振込取引を行なうことができるようになる。
【００３０】
なお、本実施例では利用者が所持するＩＣカードに振込先等の情報を登録するもので説明したが、カードを使用しない振込取引を行なう自動取引装置の場合はホストコンピュータ等に振込先等の情報を登録したものであってもよい。また、インターネットバンキング等の振込取引ではサーバーコンピュータ等に振込先等の情報を登録したものであってもよい。
【００３１】
以上説明したように、実施例では、利用者の振込取引における振込先をカテゴリに分類し利用者が所持するＩＣカードに登録しておき、振込取引時にＩＣカードに登録した振込先をカテゴリに分類して画面に表示する。このため利用者は以前に取引した日時を確認することなく、目的とした振込先をカテゴリに分類した中から選択することができ操作が簡略化されるという効果が得られる。また、利用者が任意にカテゴリ名称を付与することができるため、振込忘れ防止等の振込日の管理が可能になるという効果も得られる。
【図面の簡単な説明】
【００３２】
【図１】実施例を示すブロック図
【図２】自動取引装置の外観斜視図
【図３】取引選択画面の例示図
【図４】ＩＣカード挿入を促す画面の例示図
【図５】振込方法を選択する画面の例示図
【図６】振込先を選択する画面の例示図
【図７】家賃関連カテゴリに登録された振込先画面の例示図
【図８】振込先を登録するか否かの選択画面の例示図
【図９】登録先を選択する画面の例示図
【図１０】新規カテゴリの名称を入力する画面の例示図
【図１１】カテゴリの名称を任意に入力する画面の例示図
【図１２】ＩＣカード内レコードを例示する説明図
【図１３】ＩＣカードに登録していない振込先に振り込む取引のフローチャート
【符号の説明】
【００３３】
１    自動取引装置
２    主制御部
３    通信制御部
４    カードリーダプリンタ
５    表示部
６    操作部
７    紙幣入出金機
８    硬貨入出金機
９    通帳記帳機
１０  記憶手段
２１  表示部および操作部
２２  紙幣取扱部
２３  硬貨取扱部
２４  カード挿入排出口
２５  通帳挿入排出口
６１、６２、６３、６４  カテゴリ選択ボタン
６５、６６  振込先選択ボタン
【図１】
2006190094.tif 000003
【図２】
2006190094.tif 000004
【図３】
2006190094.tif 000005
【図４】
2006190094.tif 000006
【図５】
2006190094.tif 000007
【図６】
2006190094.tif 000008
【図７】
2006190094.tif 000009
【図８】
2006190094.tif 000010
【図９】
2006190094.tif 000011
【図１０】
2006190094.tif 000012
【図１１】
2006190094.tif 000013
【図１２】
2006190094.tif 000014
【図１３】
2006190094.tif 000015